(57)【要約】【課題】発電モータの固定コイルに発生した逆起電力を、インバータに逆流する手前で流れる方向を変えられないか。【解決手段】逆起電力は鉄芯ロータ  又  磁石ロータを回転させる事で発生します、逆起電力は１相固定コイル励磁がゼロボルトに電圧降下中に２相が回転励磁され回転ロータが２相コイルまで回転したときに、１相のコイルを磁束が横切り発電となる、入力線は逆起電力を発生し出力線は起電力を同時に発電、逆起電力引き込み結線部より起電力で逆起電力を引き込み、流れやすい方向へと導き出力します。【選択図】図１
2011055674.tif 000002
【特許請求の範囲】
【請求項１】
逆起電力発電モータは、三相交流２００Ｖの電流をインバータの出力電流により回転します、と同時に逆起電力の三相交流が出力します、ステータ  ヨークの固定コイルは分布巻コイルで、三相線の４極コイルと三相線の６極コイルが有り回転軸には永久磁石ロータと電磁石ロータと永久磁石挿入鉄芯ロータと、かご型鉄芯ロータの回転ロータから逆起電力が発電され出力するコイルです、入力線コイルは回転励磁と逆起電力発電の役目をします、出力線コイルは起電力を発電する役目をします、入力線コイルと出力線コイルの配線は直列配線と並列配線との組み合わせで、直列と直列配線、直列と並列配線、並列と並列配線、並列と直列配線、との組み合わせ固定コイル配線が有る、直列配線は逆起電力の電圧が回転と共に高く成り、並列配線も逆起電力は回転と共に電圧は高く成りますが直列配線より半分の高さの電圧に成る、入力線固定コイルと出力線固定コイルは逆起電力引き込み結線部で繋がれています。固定コイルの配線巻き方向、右巻きと左巻きとが有り、解りやすくするために回転軸方向から見て左右とし、番号も右回りで付けました、固定コイル１番コイルの右側コイル末端を２００Ｖ入力線としますと、右巻き固定コイルとなり１相、２相、３相、とも全コイル右巻き固定コイルとなる、固定コイル１番コイルの左側コイル末端を２００Ｖ入力線としますと、左巻き固定コイルとなり１相、２相、３相、とも全コイル左巻き固定コイルとなる、全コイルとは出力線コイルと入力線コイルです、出力線の中性点を入力線のステータ  ヨークのスロットから５０ｍｍ出た所に結線、結線部を逆起電力引き込み結線部としますが、この結線ではまだ出力線の中性点としての役目を果たさない、入力線コイルの中性点をデルタ結線かスター結線することで、出力線コイルの中性点と成ります。逆起電力の発生と出力は、１相の入力線コイルの回転励磁がゼロボルトに電圧降下中に２相の入力線コイルが回転励磁され、ロータが２相固定コイルまで回転この時に１相固定コイルを磁束が横切り起電力が発生、入力線コイルは逆起電力を発電、出力線コイルは起電力を発電、逆起電力はインバータ方向へ流れ、起電力は出力線方向へ流れますから、逆起電力引き込み結線部より逆起電力を同時に発電した起電力で出力線に引き込み、流れやすい方向へと導き出力させます、２相、３相、も同じ回転と発電を連続して、安定した回転と安定した逆起電力が出力する固定コイル配設と配線の発明です。
【請求項２】
入力線回転励磁固定コイルと出力線固定コイルを繋ぐ、逆起電力引き込み結線部を外して使用する場合は、出力線コイルの１相、２相、３相、の外した引き込み結線部を三本束ねてスター結線しコイルは直列配線します、入力線コイルは並列配線し中性点は三本束ねてスター結線かデルタ結線します。
【請求項３】
逆起電力発電モータの固定コイルの２相だけ、逆巻き固定コイル配線で回転と発電をします、１相と３相の固定コイルが右巻きコイル配線で２相が左巻き固定コイル配線です。
【発明の詳細な説明】
【技術分野】
【０００１】
本発明は、動力モータのコイル機能と、発電機コイル機能を併せ持つ発電モータ。
【先行技術文献】
【特許文献】
【０００２】
【特許文献１】特開２００９−１７１７０１
【発明の概要】
【発明が解決しようとする課題】
【０００３】
解決しょうとする問題点は、発電モータの固定コイルに発生した逆起電力を、インバータに逆流する手前で逆起電力の流れる方向を変えられないか。
【課題を解決するための手段】
【０００４】
本発明は、動力モータの固定コイルで発生した逆起電力を、逆起電力引き込み結線部から、同時に発生した起電力で流れやすい方向に導いて出力線へ流す。
【０００５】
４極発電モータは、分布巻固定コイルの固定するスロット数は２４本と４８本があります、コイル配設は２４本のスロットで説明します、図面で解りやすくするために固定コイルとスロットに、回転軸側から固定コイルを見て右回りで番号を付けました、固定コイルは各相とも１番から４番とし、スロットは１から２４の通し番号とします、１相の１番コイルは１と６、２番コイルは７と１２、３番コイルは１３と１８、４番コイルは１９と２４、２相の１番コイルは５と１０、２番コイルは１１と１６、３番コイルは１７と２２、４番コイルは２３と４、３相の１番コイルは９と１４、２番コイルは１５と２０、３番コイルは２１と２、４番コイルは３と８、を使用します。
【０００６】
固定コイル番号の、奇数番号が入力線を繋いだ回転励磁と逆起電力発電のコイルで、偶数番号が出力線を繋いだ起電力発電コイルです、固定コイルの入力線コイルを直列配線に出力線コイルを直列配線の組み合わせと、入力線コイルを直列配線に出力線コイルを並列配線の組み合わせと、入力線コイルを並列配線に出力線コイルを直列配線の組み合わせと、入力線コイルを並列配線に出力線コイルを並列配線の組み合わせがあります。
【０００７】
４極逆起電力発電モータの固定コイルの直列配線と直列配線のしかた、１相１番コイル１と６、スロット６のコイル末端を入力線とします、スロット１コイル末端を３番コイル１３と１８のスロット１８コイル末端と結線、スロット１３コイル末端を中性点とします、１相２番コイル７と１２、スロット１２コイル末端を、スロット６入力線のステータ  ヨークのスロット上部から５０ｍｍ出た所に結線し、逆起電力引き込み結線部とします、スロット７コイル末端を４番コイル１９と２４のスロット２４コイル末端に結線、スロット１９コイル末端を出力線とします。２相１番コイル５と１０、スロット１０のコイル末端を入力線とします、スロット５コイル末端を３番コイル１７と２２のスロット２２コイル末端と結線、スロット１７コイル末端を中性点とします、２相２番コイル１１と１６、スロット１６コイル末端を、スロット１０入力線のステータ  ヨークのスロット上部から５０ｍｍ出た所に結線し、逆起電力引き込み結線部とします、スロット１１コイル末端を４番コイル４と２３のスロット４コイル末端と結線、スロット２３コイル末端を出力線とします。３相１番コイル９と１４、スロット１４のコイル末端を入力線とします、スロット９コイル末端を３番コイル２と２１のスロット２コイル末端に結線、スロット２１コイル末端を中性点とします、３相２番コイル１５と２０、スロット２０コイル末端をスロット１４入力線のステータ  ヨークのスロット上部から５０ｍ出た所に結線し、逆起電力引き込み結線部とします、スロット１５コイル末端を４番コイル３と８のスロット８コイル末端と結線スロット３のコイル末端を出力線とします。
【０００８】
逆起電力発電モータの外部に設置した端子台に入力線三線を固定するボルトとナット、出力線三線を固定するボルトとナットを配置して、プラスチックの台で漏電しないようにする、端子台に１相、２相、３相、と入力線を固定したら１相の回転励磁コイルの中性点を２相端子に結合、２相の回転励磁コイルの中性点を３相端子に結合、３相の回転励磁コイルの中性点を１相端子に結合してデルタ結線にします、又  中性点３本を結合してスター結線しても良い、出力線は１相出力、２相出力、３相出力として端子台に結合します、又  回転励磁コイルの中性点を結合することにより出力線コイルの発電のための中性点とも成ります。
【０００９】
逆起電力発電モータは、交流三相２００Ｖをインバータからの出力三相交流電力により、回転と発電を同時に出来、回転中に逆起電力を取り出せる発電モータです、固定コイルは三相４極コイルと三相６極コイルで分布巻コイルを配設します、ロータには永久磁石ロータ、電磁石ロータ、鉄芯かご型ロータ、と永久磁石挿入鉄芯ロータ、とが有りどのロータも回転と発電が出来ます、４極コイルのロータに配設の永久磁石極はプラス、マイナス、プラス、マイナスと４磁極配設回転ロータとする、６極コイルのロータに配設の永久磁石極はプラス、マイナス、プラス、マイナス、プラス、マイナスと６磁極配設回転ロータとする、又  電磁石ロータと永久磁石挿入鉄芯ロータも永久磁石ロータと同じ回転ロータの磁極数とする、又  鉄芯ロータは固定コイルの磁力により回転ロータに磁化された磁極が発生します。
【００１０】
逆起電力の発生は、インバータ出力の対称三相交流の瞬時値が正の最大値になる順序と、ゼロボルトになる順序は振幅、周波数が等しい互いに相差が１２０度ずれている交流起電力の相順で決められている、１相のプラス電圧と電流からマイマス電圧と電流になる中間点にゼロボルトになる瞬間が出来る、その瞬間に逆起電力が発電される。
【００１１】
４極逆起電力発電モータ、永久磁石ロータの回転と逆起電力の発電は、１相入力線の回転励磁コイルの１番コイルと３番コイルが交番磁界でＳ極励磁した時、１相２番コイルと４番コイルのステータ  ヨークにＳ極に磁化されたＮ極が発生、１相固定コイルにＳ，Ｎ，Ｓ，Ｎ，の回転磁界が出来ると、回転軸の永久磁石極ロータのＮ，Ｓ，Ｎ，Ｓ、を１相固定コイル各磁極まで引き寄せて回転となる、１相１番コイルと３番コイルがゼロボルトになる電圧降下中に、２相入力線の回転励磁コイルの１番コイルと３番コイルがＳ極励磁した時、２相２番コイルと４番コイルのステータ  ヨークにＳ極に磁化されたＮ極が発生、２相の固定コイルにＳ，Ｎ，Ｓ，Ｎ，の回転磁界が出来ると、回転軸の永久磁石極ロータのＮ，Ｓ，Ｎ，Ｓ、を２相固定コイル各磁極まで引き寄せて回転となる、この瞬間に１相１番コイルと３番コイルを回転軸Ｎ極磁束が横切る時、１相２番コイルと４番コイルも回転軸Ｓ極磁束が横切る、１相１番コイルと３番コイルは逆起電力が発生しインバータ方向へ流れ、１相２番コイルと４番コイルは起電力が発生し出力線方向へ流れますから、逆起電力引き込み結線部より逆起電力を起電力で引き込んで、流れやすい方向へと導き出力させる、２相１番コイルと３番コイルがゼロボルトになる電圧降下中に、３相入力線の回転励磁コイルの１番コイルと３番コイルがＳ極励磁した時、３相２番コイルと４番コイルのステータ  ヨークにＳ極に磁化されたＮ極が発生、３相の固定コイルにＳ，Ｎ，Ｓ，Ｎ、の回転磁界が出来ると、回転軸の永久磁石ロータのＮ，Ｓ，Ｎ，Ｓ、を３相固定コイル各磁極まで引き寄せて回転となる、この瞬間に２相１番コイルと３番コイルを回転軸Ｎ極磁束が横切る時、２相２番コイルと４番コイルも回転軸Ｓ極磁束が横切る、２相１番コイルと３番コイルは逆起電力が発生しインバータ方向へ流れ、２相２番コイルと４番コイルは起電力が発生し出力線方向へ流れますから、逆起電力引き込み結線部より逆起電力を起電力で引き込んで、流れやすい方向へと導いて出力させる、３相１番コイルと３番コイルがゼロボルトになる電圧降下中に、１相入力線の回転励磁コイルの１番コイルと３番コイルがＮ極励磁した時、１相２番コイルと４番コイルのステータ  ヨークにＮ極に磁化されたＳ極が発生、１相の固定コイルにＮ，Ｓ，Ｎ，Ｓ、の回転磁界が出来ると、回転軸の永久磁石ロータのＳ，Ｎ．Ｓ，Ｎ、を１相固定コイル各磁極まで引き寄せて回転となる、この瞬間に３相１番コイルと３番コイルを回転軸Ｓ極磁束が横切る時、３相２番コイルと４番コイルも回転軸Ｎ極磁束が横切る、３相１番コイルと３番コイルは逆起電力が発生しインバータ方向へ流れ、３相２番コイルと４番コイルは起電力が発生し出力線方向へ流れますから、逆起電力引き込み結線部より逆起電力を起電力で引き込んで流れやすい方向へと導いて出力させる。又  鉄芯かご型ロータの発電も永久磁石ロータと同じですが、違うところは回転励磁コイルがＳ極に励磁した時、ステータ  ヨークの２番、４番コイルもＮ極に磁化され、かご型ロータの鉄芯の回転励磁コイルに近い部分もＮ極に磁化され、鉄芯かご型ロータにＮ，Ｓ，Ｎ，Ｓ，の磁極が出来、ゼロボルトで次の相に移動するときに鉄芯かご型ロータの残留磁気の磁束が、コイルを横切り発電となる、連続した発電と回転は永久磁石ロータと同じです。
【００１２】
６極逆起電力発電モータのコイル配設、入力線コイルは並列配線、出力線コイルは直列配線としました、入力線コイルは１番と３番と５番コイルで出力線コイルは２番と４番と６番コイルで配設されています、コイル番号とスロット番号は回転軸側から見て右回りで番号を付けています、コイル番号は１から６まで、スロット番号は１から３６と７２があるが３６で説明します、１相入力線回転励磁コイルは１番と３番と５番コイルの右側末端、スロット３０と１８と６のコイル末端をスロット６コイル末端のステータ  ヨークから５０ｍｍ出た所に３本結線、結線部に導線を結線し入力線として外部入力端子台に結合します、コイル左側末端スロット１と１３と２５のコイル末端をスロット２５コイル末端のステータ  ヨークから５０ｍｍ出た所に３本結線、結線部に導線を結線し中性線とします、１相出力線発電コイルは２番コイルのスロット１２のコイル末端を、１相入力線の３本結線部より上部に結線します、結線部を逆起電力引き込み結線部とします、コイル左側スロット７のコイル末端を６番コイルのスロット３６のコイル末端と結線、スロット３１を４番コイルのスロット２４のコイル末端と結線、スロット１９のコイル末端が出力線になります。２相入力線回転励磁コイルは１番と３番と５番コイルの右側末端、スロット１０と２２と３４のコイル末端をスロット１０コイル末端のステータ  ヨークから５０ｍｍ出た所に３本結線、結線部に導線を結線し入力線として外部入力端子台に結合、コイル左側スロット５と１７と２９のコイル末端をスロット２９コイル末端のステータ  ヨークから５０ｍｍ出た所に３本結線、結線部に導線を結線し中性線とします、２相出力線発電コイルは２番コイルのスロット１６のコイル末端を２相入力線の３本結線部より上部に結線、結線部を逆起電力引き込み結線部です、２番コイルのスロット１１を６番コイルのスロット４のコイル末端に結線、スロット３５のコイル末端を４番コイルのスロット２８のコイル末端に結線、スロット２３のコイル末端が出力線になります。３相入力線回転励磁コイルは１番と３番と５番コイルの右側末端、スロット２と１４と２６のコイル末端をスロット１４コイル末端のステータ  ヨークから５０ｍｍ出た所に３本結線、結線部に導線を結線し入力線として外部入力端子台に結合、コイル左側スロット９と２１と３３のコイル末端をスロット３３コイル末端のステータ  ヨークから５０ｍｍ出た所に３本結線、結線部に導線を結線し中性線とします、３相出力線発電コイルは２番コイルのスロット２０コイル末端を３相入力線の３本結線部より上部に結線、結線部を逆起電力引き込み結線部です、２番コイルのスロット１５コイル末端を６番コイルスロット８のコイル末端に結線、スロット３のコイル末端を４番コイルのスロット３２のコイル末端に結線、スロット２７のコイル末端が出力線になります、配線が終了したら中性線を３本束にして結線して中性点とするスター結線、又  中性線を外部端子台で１相の中性線を２相入力線に結合、２相の中性線を３相の入力線に結合、３相の中性線を１相の入力線に結合して中性点としてのデルタ結線があります。
【００１３】
４極逆起電力発電モータ、固定コイル２相コイルだけ左巻コイル、１相と３相は右巻コイルでも回転と発電をします、コイル配設は１相入力線回転励磁コイル１番と３番コイルで、１番コイルのスロット６コイル末端を入力線に、スロット１コイル末端を３番コイルのスロット１８のコイル末端に結線、スロット１３のコイル末端を中性点に、１相出力線発電コイルは２番と４番コイルで、２番コイルのスロット１２コイル末端を１相コイル入力線のステータ  ヨークのスロットから５０ｍｍ出た所に結線、逆起電力引き込み結線部とします、スロット７のコイル末端を４番コイルスロット２４のコイル末端に結線、スロット１９のコイル末端を出力線になります。２相入力線回転励磁コイルは１番と３番コイルで、１番コイルのスロット３コイル末端を入力線に、スロット８のコイル末端を３番コイルのスロット１５のコイル末端と結線、スロット２０のコイル末端を中性点に、２相出力線発電コイルは２番コイルスロット９のコイル末端を２相コイル入力線のステータ  ヨークのスロットから５０ｍｍ出た所に結線、逆起電力引き込み結線部とします、スロット１４コイル末端を４番コイルのスロット２１コイル末端と結線、スロット２のコイル末端が出力線になります。３相入力線回転励磁コイルは１番と３番コイルで、１番コイルのスロット１０のコイル末端を入力線に、スロット５のコイル末端を３番コイルのスロット２２のコイル末端と結線、スロット１７のコイル末端を中性点に、３相出力線発電コイルは２番と４番コイルで、２番コイルのスロット１６のコイル末端を３相入力線のステータ  ヨークのスロットから５０ｍｍ出た所に結線、逆起電力引き込み結線部とします、スロット１１コイル末端を４番コイルのスロット４のコイル末端に結線、スロット２３のコイル末端を出力線にします。
【００１４】
入力線回転励磁コイルと出力線発電コイルを繋ぐ逆起電力引き込み結線部を取り外して起電力だけの発電にするときは、１相、２相、３相の取り外した逆起電力引き込み結線部の導線末端が中性点となります、中性点は三本束にしてスター結線としコイルは直列配線します、入力線回転励磁コイルは並列配線とし中性点は三本束にしてスター結線しますとインバータに高い電圧の逆起電力が行かないように成ります。
【図面の簡単な説明】
【００１５】
【図１】図１は４極永久磁石ロータの断面図と、各コイル配設番号とコイル固定スロット番号。
【図２】図２は６極永久磁石ロータの断面図と、各コイル配設番号とコイル固定スロット番号。
【図３】図３は４極固定コイルの直列配線と直列配線のコイル図デルタ結線。
【図４】図４は６極固定コイルの並列配線と直列配線のコイル図スター結線。
【符号の説明】
【００１６】
１    １相入力線と出力線逆起電力引き込み結線部、  
２    ２相入力線と出力線逆起電力引き込み結線部、  
３    ３相入力線と出力線逆起電力引き込み結線部、
４    コイル番号                                            
５    １相出力線                                            
６    ２相出力線                                            
７    ３相出力線                                            
８    １相励磁コイル中性点
９    ２相励磁コイル中性点
１０    ３相励磁コイル中性点
１１    固定コイルとスロット番号
１２    回転軸永久磁石
１３    １相出力線逆起電力引き込み線
１４    ２相出力線逆起電力引き込み線
１５    ３相出力線逆起電力引き込み線                                                                
【図１】
2011055674.tif 000003
【図２】
2011055674.tif 000004
【図３】
2011055674.tif 000005
【図４】
2011055674.tif 000006
【手続補正書】
【提出日】平成21年9月15日(2009.9.15)
【手続補正１】
【補正対象書類名】明細書
【補正対象項目名】００１３
【補正方法】変更
【補正の内容】
【００１３】
逆起電力発電モータの２相固定コイルだけ、１相と３相の固定コイルと反対の巻き方の固定コイルの配設と配線のしかたを、図１、図２、提出図面のコイル番号とスロット番号で説明します、４極固定コイルと６極固定コイルの１相と２相の入力線コイルと出力線コイルはそのまま使用します、４極固定コイルの１相１番コイルと２相１番コイルの中間に位置する、３相の４番コイルに入力線を繋ぎます、入力線コイルは４番と２番コイルで、４番コイルのスロット３のコイル末端を入力線として左巻き固定コイルとします、スロット８のコイル末端を２番コイルのスロット１５のコイル末端に結線、スロット２０のコイル末端を中性点とする、出力線コイルは１番コイルと３番コイルで、３番コイルのスロット２１のコイル末端を、入力線のスロット３のステータ  ヨークから５０ｍｍ出た所に結線し、逆起電力引き込み結線部とします、３番コイルのスロット２のコイル末端を１番コイルのスロット９のコイル末端に結線、スロット１３のコイル末端を出力線とします。６極固定コイルの１相１番コイルと２相１番コイルの中間に位置する、３相の６番コイルに入力線を繋ぎます、入力線コイルは２番コイルと４番コイルと６番コイルで、６番コイルのスロット３のコイル末端を入力線として左巻き固定コイルとします、スロット８のコイル末端を２番コイルのスロット１５のコイル末端に結線、スロット２０のコイル末端をコイル４番コイルのスロット２７のコイル末端と結線、スロット３２のコイル末端を中性点とする、出力線コイルは１番コイルと３番コイルと５番コイルで、５番コイルのスロット３３のコイル末端を、入力線のスロット３のステータ  ヨークから５０ｍｍ出た所に結線し、逆起電力引き込み結線部とします、スロット２のコイル末端を１番コイルのスロット９のコイル末端と結線、スロット１４のコイル末端を３番コイルのスロット２１に結線、スロット２６のコイル末端を５番コイルのスロット３３コイル末端に結線、スロット２のコイル末端を出力線とする、中性点はデルタ結線とスータ結線とが有ります、固定コイルの回転磁界を１相と２相と３相と右回りで配設すると、相順で回転ロータは右回りで回転しますが、２相を逆巻コイルにすると左回転となる、４極固定コイルと６極固定コイルとも１相はそのままで、２相が３相に、３相が２相に相順が変わります。
【手続補正２】
【補正対象書類名】特許請求の範囲
【補正対象項目名】請求項３
【補正方法】変更
【補正の内容】
【請求項３】
逆起電力発電モータの固定コイルの２相だけ、逆巻き固定コイルの配設と配線で回転と逆起電力発電をします、１相と３相が右巻き固定コイルに配線したら、２相が左巻き固定コイルの配線にします、請求項１の４極固定コイルと６極固定コイルとも、１相と２相は配設のまま使用しますので３相を逆巻固定コイルにします、
４極固定コイルで説明します、１相と２相の２００Ｖ入力線のコイルとコイルの中間に３相の４番固定コイルがあります、この３相の４番コイルと２番コイルを入力線コイルに、１番コイルと３番コイルを出力線コイルにします、２００Ｖ入力線を４番コイルのスロット３コイル末端に結線、逆起電力引き込み結線部は３番コイルのスロット２１のコイル末端をスロット３のコイル末端から、入力線のステータ  ヨークから５０ｍｍ出た所に結線、出力線はスロット１３のコイル末端とする、１相と２相の中間に３相を配設するため１相はそのままで、２相が３相に３相が２相に相順が変わります、請求項１のコイルに三相交流を流すとロータが右回転します、２相を逆巻きコイルにした発電モータのロータは左回転します。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
逆起電力発電モータはインバータ三相交流２００Ｖの出力電流を逆起電力発電モータの三相入力線に流して回転し、同時に発電された逆起電力の三相交流電流が逆起電力発電モータの出力線から出力します、４極逆起電力発電モータのステータ  ヨークの分布巻コイルを固定するスロット数は２４スロットと４８スロットが有ります、６極逆起電力発電モータのステータ  ヨークの分布巻コイルを固定するスロット数は３６スロットと７２スロットが有ります、４極と６極の逆起電力発電モータのロータ部には、永久磁石ロータ、電磁石ロータ、永久磁石挿入鉄芯ロータ、かご型鉄芯ロータ、の種類が有ります。逆起電力発電モータのステータ  ヨークの固定コイル配設を解りやすくするために、回転軸側から固定コイルを見て右回りで番号を付けました、４極逆起電力発電モータは１相、２相、３相、とも各相１番コイルから４番コイルとし、スロット番号も右回りの通し番号１から２４、および１から４８とし、６極逆起電力発電モータは１相、２相、３相、とも各相１番コイルから６番コイルとします、スロット番号も右回りの通し番号１から３６、および１から７２とします、コイル番号の奇数番号が入力線を繋いだコイルで回転励磁と逆起電力の発電をするコイルです、偶数番号が出力線を繋いだコイルで起電力発電コイルに成ります、入力線を繋いだコイルと出力線を繋いだコイルは逆起電力引き込み結線部で繋がっています。４極と６極の逆起電力発電モータのステータ  ヨークに配設した１相、２相、３相、とも１番固定コイルは同番号のスロットに成ります、１相１番コイルを回転軸側から見て左側スロットを１として右回りでスロットに通し番号を付けて各相の１番コイルを決めます、１相１番コイルはどのコイルを選択しても良いです、選んだ１相１番コイルは１と６のスロットに成ります、２相１番コイルは５と１０のスロットに成ります、３相１番コイルは９と１４のスロットに成ります、４極と６極の逆起電力発電モータの入力線は各相とも１番コイルにします、１番コイルの右側スロット末端導線を入力線に選んだら、ステータ  ヨークに配設した固定コイルは全コイル右巻き配線します、また、１番コイルの左側スロット末端導線を入力線に選んだら、ステータ  ヨークに配設した固定コイルは全コイル左巻き配線します。配列には直列配線および並列配線が有ります、固定コイルは左右を回転軸側から見た方向とし、４極２４スロットの１相入力線を繋いだコイルの、直列配線は１番コイル１と６で６スロットのコイル末端を入力線として、１スロットの末端導線を３番コイル１３と１８の１８スロットの末端導線に結線、１３スロットのコイル末端導線を中性点とする、この様に、コイルの巻き方向を変えずに入力線から流れた電気が順番にコイルを通過して中性点まで到達するようにする、並列配線は１番コイル１と６、３番コイル１３と１８、のコイル右側６と１８のスロット末端導線を結線、結線した導線の中央に入力線を結線、コイルの左側１と１３のスロット末端導線を結線、結線した導線の中央に中性点となる導線を結線、この様に、コイルの巻き方向を変えずに入力線から流れた電気が配線したコイルに同時に電気が流れ中性点まで到達するように配線します。４極逆起電力発電モータのステータ  ヨーク固定コイルの各相の配設と配線をコイル番号と４極で１から２４スロット番号とし、入力線を繋いだコイルを直列配線、出力線を繋いだコイルを直列配線とし、コイル配線は１相１番コイル６スロット末端導線を１相入力線とする、１スロット末端導線を３番コイル１８スロット末端導線と結線、１３スロット末端導線を１相中性点とする、１相２番コイル１２スロット末端導線を６スロット末端導線の入力線が上部に５０ｍｍ出た所に結線し逆起電力引き込み結線部とします、７スロット末端導線を４番コイル２４スロット末端導線と結線、１９スロット末端導線を出力線とする。２相１番コイル１０スロット末端導線を２相入力線とする、５スロット末端導線を３番コイル２２スロット末端導線と結線、１７スロット末端導線を２相中性点とする、２相２番コイル１６スロット末端導線を１０スロット末端導線の入力線が上部に５０ｍｍ出た所に結線し逆起電力引き込み結線部とします、１１スロット末端導線を４番コイル４スロット末端導線と結線、２３スロット末端導線を２相出力線とします。３相１番コイル１４スロット末端導線を３相入力線とする、９スロット末端導線を３番コイル２スロット末端導線と結線、２１スロット末端導線を３相中性点とする、３相２番コイル２０スロット末端導線を１４スロット末端導線の入力線が上部に５０ｍｍ出た所に結線し逆起電力引き込み結線部とします、１５スロット末端導線を４番コイル８スロット末端導線と結線、３スロット末端導線を３相出力線とします。６極逆起電力発電モータのステータ  ヨーク固定コイルの各相の配設と配線をコイル番号と６極で１から３６スロット番号とし、入力線を繋いだコイルを直列配線、出力線を繋いだコイルを直列配線とし、コイル配線は１相１番コイル１スロット末端導線を１相入力線とする、６スロット末端導線を３番コイル１３スロット末端導線と結線、１８スロット末端導線を５番コイルの２５スロット末端導線と結線、３０スロット末端導線を１相中性点とします、１相２番コイル７スロット末端導線を１スロット末端導線の入力線が上部に５０ｍｍ出た所に結線し逆起電力引き込み結線部とします、１２スロット末端導線を４番コイル１９スロット末端導線に結線、２４スロット末端導線を６番コイル３１スロット末端導線と結線、３６スロット末端導線を１相出力線とします。２相１番コイル５スロット末端導線を２相入力線とします、１０スロット末端導線を３番コイル１７スロット末端導線と結線、２２スロット末端導線を５番コイル２９スロット末端導線と結線、３４スロット末端導線を２相中性点とします、２相２番コイル１１スロット末端導線を５スロット末端導線の入力線が上部に５０ｍｍ出た所に結線し逆起電力引き込み結線部とします、１６スロット末端導線を４番コイル２３スロット末端導線と結線、２８スロット末端導線を６番コイル３５スロット末端導線と結線、４スロット末端導線を２相出力線とします。３相１番コイル９スロット末端導線を３相入力線とする、１４スロット末端導線を３番コイル２１スロット末端導線と結線、２６スロット末端導線を５番コイル３３スロット末端導線と結線、２スロット末端導線を中性点とする、３相２番コイル１５スロット末端導線��９スロット末端導線の入力線が上部に５０ｍｍ出た所に結線し逆起電力引き込み結線部とします、２０スロット末端導線を４番コイル２７スロット末端導線と結線、３２スロット末端導線を６番コイル３スロット末端導線と結線、８スロット末端導線を３相出力線とします、４極と６極の逆起電力発電モータの中性点は３本束にしたスター結線と、１相の中性点を２相の入力線と結合、２相の中性点を３相の入力線と結合、３相の中性点を１相の入力線と結合するデルタ結線とが有ります。逆起電力の発生と出力の仕方は４極と６極の逆起電力発電モータは同じです、１相の入力線を繋いだコイルの回転励磁がゼロボルトに電圧降下中に、２相の入力線を繋いだコイルが回転励磁され、ロータが２相固定コイルまで回転この時に１相固定コイルを磁束が横切り起電力を発電、入力線を繋いだコイルは逆起電力を発電してインバータ方向へ流れ、出力線を繋いだコイルは起電力を発電して出力線方向へ流れるから、逆起電力引き込み結線部により逆起電力を同時に発電した起電力で出力線に引き込み、流れやすい方向へと導き出力させる、２相、３相、も同じ回転と発電を連続して行い、安定した回転と安定した逆起電力が出力する、固定コイルの配設と配線の発明です。
【請求項２】
４極と６極の逆起電力発電モータのステータ  ヨークに配設した固定コイル、の１相と３相が同巻コイル配線で２相が逆巻きコイル配線です、固定コイルの右側と左側は回転軸側から見た方向とします、固定コイル番号とスロット番号は右回りで付けます、１相、２相、３相、の１番コイルは４極と６極の逆起電力発電モータは同一番号のスロットに成ります、１相の１番コイルはどのコイルを選択しても良いです、選んだコイルの左側スロットが１スロットに成りますから、１相１番コイルは１と６のスロット、２相１番コイルは３と８のスロット、３相１番コイルは５と１０のスロットに成ります、４極逆起電力発電モータの固定コイルの配設と配線を、４極で２４スロット、４極で４８スロットが有るが、４極２４スロットのところには、１相と３相が右巻きコイル配線で、２相が左巻きコイル配線とします。１相１番コイル１と６で６スロット末端導線を１相入力線とする、１スロット末端導線を３番コイルの１８スロット末端導線に結線、１３スロット末端導線を１相中性点とします、１相２番コイル７と１２で１２スロット末端導線を、６スロット末端導線５０ｍｍ出た所の入力線に結線、逆起電力引き込み結線部とします、７スロット末端導線を４番コイルの２４スロット末端導線と結線、１９スロット末端導線を１相出力線とします。２相１番コイル３と８で３スロット末端導線を２相入力線とする、８スロット末端導線を３番コイルの１５スロット末端導線に結線、２０スロット末端導線を２相中性点とします、２相２番コイル９と１４の９スロット末端導線を、３スロット末端導線５０ｍｍ出た所の入力線に結線、逆起電力引き込み結線部とします、１４スロット末端導線を４番コイル２１スロット末端導線に結線、２スロット末端導線を２相出力線とします。３相１番コイル５と１０の１０スロット末端導線を３相入力線とします、５スロット末端導線を３番コイルの２２スロット末端導線に結線、１７スロット末端導線を３相中性点とします、３相２番コイル１１と１６の１６スロット末端導線を、１０スロット末端導線５０ｍｍ出た所の入力線に結線、逆起電力引き込み結線部とします、１１スロット末端導線を４番コイルの４スロット末端導線に結線、２３スロット末端導線を３相出力線とします。６極逆起電力発電モータの固定コイルの配設と配線を、６極で３６スロットと６極で７２スロットが有るが、６極の３６スロットのところには、１相と３相が左巻きコイル配線で、２相が右巻きコイル配線とします、１相１番コイル１と６の１スロット末端導線を１相入力線とします、６スロット末端導線を３番コイル１３スロット末端導線と結線、１８スロット末端導線を５番コイル２５末端導線と結線、３０スロット末端導線を１相中性点とする、１相２番コイル７と１２の７スロット末端導線を１スロット末端導線５０ｍｍ出た所の入力線に結線、逆起電力引き込み結線部とします、１２スロット末端導線を４番コイル１９スロット末端導線と結線、２４スロット末端導線を６番コイル３１スロット末端導線と結線、３６スロット末端導線を１相出力線とします。２相１番コイル３と８の８スロット末端導線を１相入力線とします、３スロット末端導線を５番コイル３２スロット末端導線と結線、２���スロット末端導線を３番コイル２０スロット末端導線と結線、１５スロット末端導線を２相中性点とします、２相２番コイル９と１４の１４スロット末端導線を、８スロット末端導線５０ｍｍ出た所の入力線に結線、逆起電力引き込み結線部とします、９スロット末端導線を６番コイル２スロット末端導線と結線、３３スロット末端導線を４番コイル２６スロット末端導線と結線、２１スロット末端導線を２相出力線とします。３相１番コイル５と１０の５スロット末端導線を３相入力線とします、１０スロット末端導線を３番コイル１７スロット末端導線に結線、２２スロット末端導線を５番コイル２９スロット末端導線と結線、３４スロット末端導線を３相中性点とする、３相２番コイル１１と１６の１１スロット末端導線を５スロット末端導線５０ｍｍ出た所の入力線に結線、逆起電力引き込み結線部とします、１６スロット末端導線を４番コイル２３スロット末端導線と結線、２８スロット末端導線を６番コイル３５スロット末端導線と結線、４スロット末端導線を３相出力線とします、また、４極と６極の固定コイルの配線は、左側入力線の場合１番コイル、３番コイル、５番コイル、と、２番コイル、４番コイル、６番コイルと番号順に配線しますが、右側入力線の場合１番コイル、５番コイル、３番コイル、と、２番コイル、６番コイル、４番コイルと配線コイル順番が変わるのは配線導線を一番の短路でコイルとコイルを結線するためです。